(57)【要約】【課題】越流部が丈夫で壊れにくく、機能低下がなくて遡上しやすい落差式斜路魚道を提供する。【解決手段】相対的に厚さの大きい略平板状に形成した厚手ブロック１２と、相対的に厚さの小さい略平板状に形成した薄手ブロック１３とを、各厚さ方向を高さ方向にして河床上に水流方向に交互に敷設し、厚手ブロック１２の上方に越流部２１が形成され、薄手ブロック１３の上方に静水部２０が形成されるようにした。また、河床上にコンクリートを打設して斜路状基礎を形成し、該斜路状基礎上に厚手ブロック１２及び薄手ブロック１３を敷設した。【選択図】　　　　図１
2004044235.tif 000002
【特許請求の範囲】
【請求項１】
相対的に厚さの大きい略平板状に形成した厚手ブロックと、相対的に厚さの小さい略平板状に形成した薄手ブロックとを、各厚さ方向を高さ方向にして河床上に少なくとも水流方向に交互に敷設し、前記厚手ブロックの上方に越流部が形成され、前記薄手ブロックの上方に静水部が形成されるようにしたことを特徴とする落差式斜路魚道。
【請求項２】
前記河床上にコンクリートを打設して斜路状基礎を形成し、該斜路状基礎上に前記厚手ブロック及び前記薄手ブロックを敷設した請求項１記載の落差式斜路魚道。
【請求項３】
前記厚手ブロックの厚さと前記薄手ブロックとの厚さとの差が、５０ｍｍ〜１０００ｍｍである請求項１又は２記載の落差式斜路魚道。
【請求項４】
前記厚手ブロック及び前記薄手ブロックを、平面四角形の平板状に形成した請求項１、２又は３記載の落差式斜路魚道。
【請求項５】
前記厚手ブロックを、水流方向の辺が短く水流直角方向の辺が長い平面長方形の平板状に形成した請求項４記載の落差式斜路魚道。
【請求項６】
前記厚手ブロックの少なくとも上流側端面及び下流側端面の上角縁を、魚が遡上しやすいよう面取りした請求項１〜５のいずれか一項に記載の落差式斜路魚道。
【請求項７】
前記厚手ブロック及び前記薄手ブロックの上面部に、水裏部を形成するための底石を上方へ突出するように埋め込んだ請求項１〜６のいずれか一項に記載の落差式斜路魚道。
【請求項８】
前記厚手ブロック及び前記薄手ブロックに隣り合うブロック同志を連結するための連結金具を埋設し、前記厚手ブロック及び前記薄手ブロックの側端面に前記連結金具の連結部を上方へ露出させる切欠を設け、隣り合う連結金具の連結部同士を該切欠内で連結した請求項１〜７のいずれか一項に記載の落差式斜路魚道。
【請求項９】
前記切欠を前記厚手ブロック及び前記薄手ブロックの下端まで貫設し、河床又は斜路状基礎から立設したアンカー鉄筋を前記切欠に挿通した状態で、前記切欠にコンクリート又はモルタルを打設した請求項８記載の落差式斜路魚道。
【請求項１０】
前記厚手ブロック又は薄手ブロックの目地部にコンクリートが打設された請求項１〜９のいずれか一項に記載の落差式斜路魚道。
【請求項１１】
前記厚手ブロックが、前記薄手ブロックと該薄手ブロックの下側に敷設することでその上側の前記薄手ブロックを嵩上げする嵩上げブロックとからなる請求項１〜１０のいずれか一項に記載の落差式斜路魚道。
【発明の詳細な説明】
【０００１】
【発明の属する技術分野】
本発明は、河川のダム、堰、頭首工等に付設して魚類等の水棲生物の溯上を可能にする落差式斜路魚道に関するものである。
【０００２】
【従来の技術】
この種の落差式斜路魚道としては、図１０に示すようなストリーム型魚道の技術が知られている。このストリーム型魚道は、現場打ちされたコンクリート斜面に、自然石４０等の突起物を上面に埋め込んだブロック４１を列設することで構築されるものであり、水裏部４２はあるものの静水部がほとんどないために、魚類の休憩場所が少なかった。また、水流の流速が下流に行くほど増す構造であるために、遡上しにくい乱流域を形成した。また、遡上に必要な水深もほとんど確保されないため、遡上個体数と遡上魚種が少なくなってしまうという問題があった。
【０００３】
そこで、本出願人は、先に、図１１に示すようなプール型魚道を提案した（特開平６−２８０２３９号公報）。このプール型魚道は、貯水部５０を形成する少なくとも二面の立壁５１を有するようにコンクリートによりプレキャスト成形された魚道ブロック５２を使用し、勾配を設けた河床に多数の魚道ブロック５２を敷設して組立て、隣接する魚道ブロック５２の立壁５１の上端に越流面５３を形成したものである。このプール型魚道によれば、魚類が越流面５３を楽に乗り越えて上流側の貯水部５０に到達できるので、特に稚魚の遡上率を向上することができる。
【０００４】
【発明が解決しようとする課題】
しかし、上記のプール型魚道では、使用される魚道ブロック５２の立壁５１が細く突出していたために、流水に紛れ込んだ土石に接触して立壁５１が壊れたり、貯水部５０に土石が堆積することにより機能低下を招いたり、底生魚・甲殻類の遡上低下を招いたりするという問題があった。
【０００５】
そこで、本発明の課題は、越流部が丈夫で壊れにくく、機能低下がなくて遡上しやすい落差式斜路魚道を提供することにある。
【０００６】
【課題を解決するための手段】
上記の課題を解決するために、本発明の落差式斜路魚道は、相対的に厚さの大きい略平板状に形成した厚手ブロックと、相対的に厚さの小さい略平板状に形成した薄手ブロックとを、各厚さ方向を高さ方向にして河床上に少なくとも水流方向に交互に敷設し、厚手ブロックの上方に越流部が形成され、薄手ブロックの上方に静水部が形成されるようにしたことを特徴としている。
【０００７】
ここで、本発明の落差式斜路魚道は、魚道ブロックを縦横に敷設した部分式魚道や全面式魚道、又は魚道ブロックを１列に敷設した単水路式魚道等に適用することができる。
【０００８】
「略平板状」とは、越流部となる立壁を持たないという意味であって、上面及び下面に凹凸がない場合に限定されず、上面と下面との少なくとも一方に水裏部を構成しうる凹凸、凹凸模様、突条、溝又はテーパ等が備えられている場合を含む。
【０００９】
河床上にコンクリートを打設して斜路状基礎を形成し、該斜路状基礎上に厚手ブロック及び薄手ブロックを敷設することが好ましい。斜路状基礎の厚さは、特に限定されないが、該厚手ブロックと該薄手ブロックとの流出防止対策として斜路状基礎に固定するアンカー鉄筋を立設するために１００ｍｍ〜１０００ｍｍが好ましく、さらに２００ｍｍ〜５００ｍｍがより好ましい。
【００１０】
薄手ブロックの厚さは、特に限定されないが、魚道を流れる流水の掃流力に耐えるためには１００ｍｍ〜５００ｍｍの厚さが好ましく、更には２００ｍｍ〜３００ｍｍがより好ましい。
【００１１】
厚手ブロックの厚さと薄手ブロックの厚さとの差は、特に限定されないが、魚が十分に休める静水部を形成するためには５０ｍｍ〜１０００ｍｍにすることが好ましく、更には２５０ｍｍ〜７５０ｍｍにすることがより好ましい。
【００１２】
厚手ブロックは、薄手ブロックと該薄手ブロックの下側に敷設することでその上側の薄手ブロックを嵩上げする嵩上げブロックとから構成されたものでもよい。その場合、嵩上げされる薄手ブロックと嵩上げブロックとを連結又は接合することが好ましい。また、嵩上げブロックの平面形状は、特に限定されないが、薄手ブロックの平面形状と一致させることが好ましい。嵩上げブロックの厚さは、特に限定されないが、遡上効率を考慮すると、５０ｍｍ〜１０００ｍｍが好ましく、更には２５０ｍｍ〜７５０ｍｍがより好ましい。
【００１３】
厚手ブロック及び薄手ブロックの平面形状は、特に限定されないが、多角形（三角形、四角形、又は六角形）、平面円形や平面楕円形のもの等を例示できる。但し、生産性を高めるには、厚手ブロック及び薄手ブロックの平面形状を四角形に形成することが最も好ましい。
【００１４】
厚手ブロック及び薄手ブロックの平面形状を正方形にする場合、辺の長さは特に限定されないが、魚道を流れる流水の掃流力に耐えるためには１０００ｍｍ〜３０００ｍｍが好ましく、更には１５００ｍｍ〜２０００ｍｍがより好ましい。
【００１５】
厚手ブロック及び薄手ブロックの平面形状を長方形にする場合、各辺の長さは特に限定されないが、魚が遡上しやすいように、厚手ブロックを、水流方向の辺が短く水流直角方向の辺が長い平面長方形の平板状に形成することが好ましい。その場合の短辺と長辺との長さは特に限定されないが、短辺は５００ｍｍ〜２０００ｍｍ、長辺は１０００ｍｍ〜４０００ｍｍが好ましく、更には短辺が１０００ｍｍ〜１５００ｍｍ、長辺が２０００ｍｍ〜３０００ｍｍがより好ましい。
【００１６】
厚手ブロックの少なくとも上流側端面及び下流側端面の上角縁を、魚が遡上しやすいよう面取りすることが好ましい。面取りは、上角縁を斜めに切り取っても上角縁を丸めてもよい。上角縁を斜めに切り取る場合の角度は、特に限定されないが、ブロックの上面に対して１０度〜８０度が好ましく、４０度〜５０度がより好ましい。切り取る深さは、特に限定されないが、５０ｍｍ〜５００ｍｍが好ましく、更には１００ｍｍ〜４００ｍｍがより好ましい。なお、厚手ブロックの右岸側端面の上角縁や左岸側端面の上角縁、薄手ブロックの上角縁にも面取りしてもよい。
【００１７】
厚手ブロック及び薄手ブロックの上面部に、水裏部を形成するための底石を上方へ突出するように埋め込むことが好ましい。なお、「底石」としては、自然石又は廃棄物コンクリート等を例示できる。一つのブロックに埋め込む「底石」の数や大きさは、特に限定されない。
【００１８】
厚手ブロック及び薄手ブロックに隣り合うブロック同志を連結するための連結金具を埋設し、厚手ブロック及び薄手ブロックの側端面に連結金具の連結部を上方へ露出させる切欠を設け、隣り合う連結金具の連結部同士を該切欠内で連結することが好ましい。
【００１９】
「連結金具」としては、特に限定されないが、Ｕ字金具や環状金具等を例示できる。
【００２０】
切欠の位置と数とは、特に限定されないが、各ブロックの一側面中央部と反対側面中央部とに一つずつ設けられることが好ましく、更には四方側面の中央部に一つずつ設けられることが最も好ましい。
【００２１】
切欠の断面形状は、特に限定されないが、Ｕ字型、Ｖ字型又はコ字型等を例示できる。
【００２２】
「隣り合う連結金具の連結部同士を切欠内で連結する」手段としては、特に限定されないが、市販のシャックルを使用することが好ましい。
【００２３】
河床又は斜路状基礎上で、厚手ブロックや薄手ブロックがずれ動くのを防ぐように、切欠を厚手ブロック及び薄手ブロックの下端まで貫設し、河床又は斜路状基礎から立設したアンカー鉄筋を切欠に挿通した状態で、切欠にコンクリート又はモルタルを打設することが好ましい。アンカー鉄筋としては、特に限定されない。また、防蝕性のアンカー鉄筋を立設する場合は、切欠を空洞のままにするか、土砂、砕石等で埋戻してもよい。
【００２４】
厚手ブロック又は薄手ブロックの目地部からの漏水を防止して、静水部の貯水性を高めるために、厚手魚道ブロック又は薄手魚道ブロックの目地部にコンクリート又はモルタルが打設されることが好ましい。
【００２５】
厚手ブロックと薄手ブロックとを敷設する時の水流方向に対する並べ方は、特に限定されないが、一つずつ交互に敷設したり、二つ以上を交互に敷設してもよい。また、厚手ブロックを一つ敷設して薄手ブロックを二つ敷設するというように厚手ブロックと薄手ブロックとの連続数を異ならせてもよい。また、厚手ブロックと薄手ブロックとを周期を変えて交互に敷設してもよい。
【００２６】
また、厚手ブロックと薄手ブロックとを水流直角方向に複数敷設する場合は、厚手ブロックと薄手ブロックとの水流直角方向に対する並べ方は、特に限定されないが、一つずつ交互に敷設したり、二つ以上を交互に敷設してもよい。また、厚手ブロックと薄手ブロックとの連続数を異ならせてもよい。また、厚手ブロックと薄手ブロックとを周期を変えて交互に敷設してもよい。また、流水方向と流水直角方向とに厚手ブロックと薄手ブロックとを縦横揃えて敷設してもよいし、いずれかの方向に任意の距離だけずらして並べてもよい。
【００２７】
【発明の実施の形態】
まず、本発明を全面式魚道に具体化した第一実施形態について、図１〜図３を参照して説明する。第一実施形態の落差式斜路魚道１は、堰堤２より下流（同図手前側）の河川内領域において両岸壁２６に接岸して構築されている。落差式斜路魚道１の上流端は堰堤２と略同じ高さに位置し、また下流端は堰堤２の下流側の河底に位置している。そして、魚が落差式斜路魚道１の入口９から溯上して出口８から堰堤２の上流側に到達できるようになっている。
【００２８】
落差式斜路魚道１は、相対的に厚さの大きい略平板状に形成した厚手ブロック１２と、相対的に厚さの小さい略平板状に形成した薄手ブロック１３とを、各厚さ方向を高さ方向にして河床ＲＢ上に水流方向に交互に敷設し、厚手ブロック１２の上方に越流部２１が形成され、薄手ブロック１３の上方に静水部２０が形成されるようにしたものである。
【００２９】
また、河床ＲＢ上の水流直角方向には、落差式斜路魚道１の全幅にわたって同一厚さのブロックが複数（図示例では３つ）連続して敷設されている。従って、越流部２１と静水部２０とは共に、水流直角方向にブロック３つ分の長さで連続している。
【００３０】
落差式斜路魚道１は、河床ＲＢ上にコンクリートを打設して斜路状基礎１０を形成し、該斜路状基礎１０上に厚手ブロック１２及び薄手ブロック１３を敷設することにより構築されている。斜路状基礎１０は、河床ＲＢを掘削し、その掘削面上にコンクリートを連続傾斜面をなすように打設することにより形成されている。
【００３１】
厚手ブロック１２及び薄手ブロックは、平面四角形の平板状に形成され、それらの厚さは例えば５００ｍｍと３５０ｍｍとになっている。従って、厚手ブロック１２の厚さと薄手ブロック１３との厚さとの差は１５０ｍｍとなっている。
【００３２】
また、厚手ブロック１２及び薄手ブロック１３の四方側端面の上角縁は、魚が遡上しやすいよう全て面取りされている。即ち、厚手ブロック１２及び薄手ブロック１３の上角縁は、１００ｍｍの深さで各ブロックの上面に対して４５度の角度で切り取られ、その位置にはテーパ１４がそれぞれ形成されている。また、厚手ブロック１２及び薄手ブロック１３の上面部及びテーパ１４は、共に洗い出し仕上げが施されて水棲生物に適した棲息環境が備えられている。
【００３３】
また、厚手ブロック１２及び薄手ブロック１３の上面部には、水裏部２２を形成するための底石としての自然石２３が上方へ突出するように埋め込まれている。
【００３４】
厚手ブロック１２及び薄手ブロック１３に隣り合うブロック同志を連結するための連結金具としてのブロック連結筋１６が各ブロックの四方側面中央部にそれぞれ埋設されている。ブロック連結筋１６は、Ｕ字状に形成された鉄筋であり、曲線部分の連結部１６ａとその両端からそれぞれ略直線状且つ略平行に延びる埋設部１６ｂとからなっている。
【００３５】
厚手ブロック１２及び薄手ブロック１３の側端面には、ブロック連結筋１６の連結部１６ａを上方へ露出させる切欠１５が設けられ、隣り合うブロック連結筋１６の連結部１６ａ同士が該切欠１５内でシャックル１７により連結されている。
【００３６】
切欠１５は、厚手ブロック１２及び薄手ブロック１３の四方側面中央部に略コ字状断面で上下に延びるように形成されている。また、切欠１５は、厚手ブロック１２及び薄手ブロック１３のテーパ１４から下端まで貫設され、斜路状基礎１０から立設されたアンカー鉄筋１８を切欠１５に挿通した状態で、切欠１５にコンクリートＣ１が打設されている。
【００３７】
アンカー鉄筋１８は、例えば直径２２ｍｍ、長さ４７０ｍｍに形成された丸棒状の鉄筋で、斜路状基礎１０の形成時に予め所定間隔をおいて埋設されている。また、予め斜路状基礎１０の所定の位置に穴あけして、厚手ブロック１２及び薄手ブロック１３を敷設後、アンカー鉄筋１８を立設してもよい。
【００３８】
また、厚手ブロック１２及び薄手ブロック１３の目地部にコンクリートＣ２が打設されている。なお、厚手ブロック１２及び薄手ブロック１３の目地部に、コンクリートＣ２の代わりにモルタルが打設されていてもよい。
【００３９】
この落差式斜路魚道１は、次のような工程順で構築される。
▲１▼河床ＲＢを掘削しコンクリートを打設して斜路状基礎１０を構築する。この時、アンカー鉄筋１８の埋設を同時に行う。
▲２▼厚手ブロック１２と薄手ブロック１３とを河床ＲＢに形成された斜路状基礎１０を介して河床ＲＢ上に敷設する。その際には、アンカー鉄筋１８を各ブロックの切欠１５と隣接するブロックの切欠１５とで挟むように敷設する。
▲３▼隣接されたブロックのブロック連結筋１６間にシャックル１７を取付けることにより隣接するブロック同士を連結する。
▲４▼切欠１５の内部と、各ブロックの目地部とにコンクリートＣ１，Ｃ２を打設する。
【００４０】
本実施形態の落差式斜路魚道１によれば、次のような効果が得られる。
（１）水流方向に対して厚手ブロック１２と薄手ブロック１３とが交互に敷設されているのに対応して、二つの厚手ブロック１２に挟まれた薄手ブロック１３の上側に流水が貯水されて静水部２０が形成され、厚手ブロック１２自体により越流部２１が形成され、その静水部２０と越流部２１とが水流方向に繰り返されるようになっている。そのために、流水の流速が静水部２０に到達するごとに低減されるので、魚が越流部２１の遡上と静水部２０での休憩とを繰り返しながら遡上でき、遡上個体数と遡上魚種とを増やすことができる。
【００４１】
（２）略平板状に形成された厚手ブロック１２自体が越流部２１を形成するので、破損しにくく越流部２１の機能低下がない。
【００４２】
（３）厚手ブロック１２の上流側端面及び下流側端面の上角縁を、魚が遡上しやすいよう面取りしテーパ１４が設けられたことにより、越流部２１に傾きの緩やかな越流面が形成されるので、底生魚や甲殻類の遡上を楽にして遡上個体数と遡上魚種とを増やすことができる。
【００４３】
（４）厚手ブロック１２及び薄手ブロック１３の上面部に、自然石２３が埋め込まれて水裏部２２が形成されたことにより、越流部２１に水裏部２２が形成されて遡上しやすくなるとともに、静水部２０にも水裏部２２が形成されるので静水部２０の流況が安定して魚が十分に休憩することができる。
【００４４】
（５）厚手ブロック１２の水流方向に延びるテーパ１４は、厚手ブロック１２の上面よりもやや高さが低くなるので魚が遡上する際に、越流レベルを選択して遡上することができる。
【００４５】
（６）また、テーパ１４は厚手ブロック１２又は薄手ブロック１３の運搬・施工時の破損や、施工後に流水に紛れた土石が接触することによる厚手ブロック１２の上角縁の欠けを防ぐことができる。
【００４６】
（７）隣り合うブロック連結筋１６の連結部１６ａ同士が切欠１５内でシャックル１７により連結されたことにより、隣り合うブロックの相対的なずれが防止され、魚道を流れる流水の掃流力に対する耐久性を向上させることができる。
【００４７】
（８）アンカー鉄筋１８を切欠１５に挿通した状態で切欠１５にコンクリートＣ１が打設されたことにより、斜路状基礎１０上で厚手ブロック１２と薄手ブロック１３とがずれ動くのを防ぐことができる。
【００４８】
（９）厚手ブロック１２又は薄手ブロック１３の目地部にコンクリートＣ２が打設されたことにより厚手ブロック１２又は薄手ブロック１３の目地部からの漏水が防止され、静水部２０の貯水性が高められる。
【００４９】
（１０）落差式斜路魚道１の底の凹凸構造が従来のストリーム型魚道とプール型魚道の中間的な構造になるため、プール型魚道に比べて静水部２０への土砂堆積が少なくなる。
【００５０】
次に、図４は厚手ブロックと薄手ブロックとの平面形状と、厚手ブロック及び薄手ブロックの並べ方との変更例を示している。
【００５１】
即ち、本実施形態の厚手ブロック１２と薄手ブロック１３とは、水流方向の辺が短く水流直角方向の辺が長い平面長方形の平板状に形成されている。厚手ブロック１２と薄手ブロック１３との水流直角方向の辺は、水流方向の辺の略３倍の長さに形成され、魚道の全幅と略一致している。
【００５２】
また、厚手ブロック１２と薄手ブロック１３とは、水流方向に対して厚手ブロック１２が一つ敷設され、次に薄手ブロック１３が二つ敷設されており、水流方向に対して厚手ブロック１２一つ分の長さの短い越流部２１と薄手ブロック１３二つ分の長さの長い静水部２０が形成されるようになっている。
【００５３】
本実施形態の落差式斜路魚道１によれば、次のような効果が得られる。
（１１）厚手ブロック１２の水流方向の辺が短く形成されているので、越流部２１の水流方向に対する長さが短くなるので魚が遡上しやすくなる。
（１２）厚手ブロック１２と薄手ブロック１３との並べ方を変えることで、流況を変えて遡上のしやすさを変えたり、景観を変化させたりすることができる。
【００５４】
次に、図５は厚手ブロック及び薄手ブロックの並べ方と底石の種類との変更例を示している。
【００５５】
即ち、本実施形態の厚手ブロック１２と薄手ブロック１３とは、河床ＲＢ上に千鳥状に敷設されている。また、各厚手ブロック１２と各薄手ブロック３とには、自然石の代わりに廃棄物コンクリート２４が上方へ突出するように埋め込まれている。
本実施形態の落差式斜路魚道１によれば、次のような効果が得られる。
（１３）厚手ブロック１２と薄手ブロック１３とが千鳥状に敷設されているのに対応して、越流部２１と静水部２０とが千鳥上に並ぶので、魚が例えば矢印で示すような泳路を選択でき、より突進能力の低い魚でも遡上できるようになる。
（１４）底石に廃棄物コンクリート２４を使用することで、廃棄物コンクリートのリサイクル率を向上させて処理コスト及び処理量を低減することができるだけでなく、容易且つ安価に底石を利用することができ、更にブロックから底石を取れ難くすることができる。
【００５６】
次に、本発明を呼び水式魚道に具体化した第二実施形態について、図６〜図８を参照して第一実施形態と異なる点についてのみ説明する。
【００５７】
本実施形態の落差式斜路魚道１は、堰２５の上流側において呼び水導水路３の両側に一対に設けられた隔壁４の外側にそれぞれ構築されている。即ち、落差式斜路魚道１及び呼び水導水路３は河岸壁５と仕切壁６との間の河川内領域に構築され、それらの上流端は計画水位に相当する高さに位置し、また、下流端は堰２５の切欠部７の下部に挿入されている。
【００５８】
また、本実施形態の落差式斜路魚道は、底石が埋め込まれていない厚手ブロック１２及び薄手ブロック１３を斜路状基礎１０上に敷設して構築されている。そして、堰２５より下流側の魚が呼び水導水路３からの急速放水流ＦＦにより河岸に呼び寄せられ、落差式斜路魚道１からの緩速放水流ＳＦを感知して入口９を発見し、落差式斜路魚道１を溯上して出口８から堰２５の上流側に到達できるようになっている。なお、落差式斜路魚道１は、河幅方向中央部に設けてもよい。また、落差式斜路魚道１を堰２５の下流側に設けたり、堰２５の上流側から下流側にかけて延びるように設けたりしてもよい。
【００５９】
本実施形態の落差式斜路魚道１によれば、次のような効果が得られる。
（１５）堰２５の脇に落差式斜路魚道１の入口が位置するので、魚は緩速放水流ＳＦを感知して落差式斜路魚道１の入口に容易に到達することができ、遡上個体数と遡上魚種とを増やすことができる。
（１６）底石がないために水裏部が形成されないものの、厚手ブロック１２及び薄手ブロック１３の生産コストが低減できるとともに厚手ブロック１２及び薄手ブロック１３の輸送効率が向上する。
【００６０】
なお、本発明は前記実施形態の構成に限定されるものではなく、例えば次のように、発明の趣旨から逸脱しない範囲で変更して具体化することもできる。
（１）図９に示すように、厚手ブロック１２を、薄手ブロック１３と該薄手ブロック１３の下側に敷設することでその上側の薄手ブロック１３を嵩上げする嵩上げブロック３０とで構成すること。
【００６１】
【発明の効果】
以上詳述したとおり、請求項１、２、３、４、５、６、７又は１１記載の落差式斜路魚道によれば、越流部が丈夫で壊れにくく、機能低下がなくて遡上しやすいという優れた効果を奏する。
さらに、請求項８記載の落差式斜路魚道によれば、魚道を流れる流水の掃流力に対する耐久性を向上させることができる。
さらに、請求項９記載の落差式斜路魚道によれば、ブロックをより強固に斜路状基礎上に固定することができる。
さらに、請求項１０記載の落差式斜路魚道によれば、静水部の貯水性を高めることができる。
【図面の簡単な説明】
【図１】本発明の第一実施形態に係る落差式斜路魚道を示す斜視図である。
【図２】同落差式斜路魚道を示す断面図である。
【図３】同落差式斜路魚道の連結部を示す（ａ）は平面図、（ｂ）は図３（ａ）のＢ−Ｂ線断面図である。
【図４】本発明の落差式斜路魚道の一変更例を示す斜視図である。
【図５】本発明の落差式斜路魚道の別の変更例を示す斜視図である。
【図６】本発明の第二実施形態に係る落差式斜路魚道を示す断面図である。
【図７】同落差式斜路魚道を示す断面図である。
【図８】同落差式斜路魚道を示す斜視図である。
【図９】本発明の落差式斜路魚道の別の変更例を示す斜視図である。
【図１０】従来例の落差式斜路魚道を示す断面図である。
【図１１】別の従来例の落差式斜路魚道を示す断面図である。
【符号の説明】
１２　　厚手ブロック
１３　　薄手ブロック
２０　　静水部
２１　　越流部
ＲＢ　　河床
【図１】
2004044235.tif 000003
【図２】
2004044235.tif 000004
【図３】
2004044235.tif 000005
【図４】
2004044235.tif 000006
【図５】
2004044235.tif 000007
【図６】
2004044235.tif 000008
【図７】
2004044235.tif 000009
【図８】
2004044235.tif 000010
【図９】
2004044235.tif 000011
【図１０】
2004044235.tif 000012
【図１１】
2004044235.tif 000013